(57)【要約】【課題】  払い出された賞球を確実に上側球貯留部材内に供給できる遊技機を提供する。【解決手段】  払出停留部５４は、前側壁面部６６と、第１の樋板５１の下端縁部に連接されて上皿１１の賞球入口部に連通する後球出口５６の内方側側端縁部５６Ａの上方まで少し前下がり状に傾斜して立設される天井壁板５７と、該天井壁板５７の内側端縁部に連接されて後球出口５６側方向に傾斜して後球出口５６の下端縁部とほぼ同じ高さまで下方に立設される奥側側壁部５８と、この奥側側壁部５８の下端部に連接されて後球出口５６の下端縁部に沿って該後球出口５６の外方側側端縁部５６Ｂまで前下り状に傾斜すると共に、後球出口５６側方向に前下り状に傾斜するように立設される底壁板５９と、この底壁板５９の外側端縁部に連接されて略垂直上方向で後球出口５６の上下方向中央部まで立設される玉留め板６０と、賞球通路カバー部材４９の裏面とから構成されている。  【選択図】  図５
2005040389.tif 000002
【特許請求の範囲】
【請求項１】
遊技機の前面側に突出して設けられて、払い出される賞球を受ける上側球貯留部材と、
前記上側球貯留部材の下側に配置される下側球貯留部材と、
賞球を払い出す賞球払出手段と、
遊技機の裏面側に配設される機構セット部材と、を備え、
前記機構セット部材は、前側壁面部に穿設されて前記上側球貯留部材の賞球入口部に連通する第１貫通孔と、左右側壁部のいずれか一側の側壁部に下端縁部より所定高さ上側の位置から前後方向の全幅に渡って上方向に所定寸法切り欠かれて形成される第２貫通孔と、が設けられる略箱体状の払出停留部と、
前記賞球払出手段から払い出される賞球を該払出停留部まで案内し、賞球の流出側端縁部が、前記第２貫通孔に対向するように設けられる第１賞球誘導通路部と、
前記第２貫通孔から溢れた賞球を前記下側球貯留部材に案内するように設けられる第２賞球誘導通路部と、を有し、
前記払出停留部の左右側壁部のうち他側の側壁部は、内側面が前記第１貫通孔側方向に傾斜して立設されていることを特徴とする遊技機。
【請求項２】
前記払出停留部の他側の側壁部は、内側面の前側側端縁部が前記第１貫通孔より所定寸法左右方向外側の位置に設けられていることを特徴とする請求項１に記載の遊技機。
【請求項３】
前記所定寸法は、少なくとも遊技球の半径寸法以上であることを特徴とする請求項２に記載の遊技機。
【請求項４】
前記他側の側壁部は、内側面の前側側端縁部が上側方向に行くに従って前記第１貫通孔側方向に傾斜していることを特徴とする請求項２又は請求項３に記載の遊技機。
【請求項５】
前記他側の側壁部は、内側面の前側側端縁部が正面視外側方向に突出する略半円弧状に形成されていることを特徴とする請求項１乃至請求項３のいずれかに記載の遊技機。
【請求項６】
前記払出停留部は、底面部が前記第２貫通孔側方向に低くなるように傾斜し、
前記第１貫通孔の左右側端縁部のうち該第２貫通孔側の側端縁部は、該払出停留部の左右側壁部のうち前記一側の側壁部にほぼ対向する位置に設けられていることを特徴とする請求項１乃至請求項５のいずれかに記載の遊技機。
【発明の詳細な説明】
【技術分野】
【０００１】
本発明は、遊技機の裏側に配設される機構セット部材に、賞球払出手段から払い出された賞球を上側球貯留部材に案内すると共に、該賞球を上側球貯留部材と協働して所定量貯留することが可能な略箱体状の払出停留部が設けられた遊技機に関するものである。
【背景技術】
【０００２】
従来より、遊技機の裏側に配設される機構セット部材に、賞球払出手段から払い出された賞球を上側球貯留部材に案内すると共に、該賞球を上側球貯留部材と協働して所定量貯留することが可能な略箱体状の払出停留部が設けられた遊技機に関し種々提案されている。
例えば、成形器体を合成樹脂製の裏枠に組付けることにより、成形器体には賞品球誘導通路が区画されて形成され、この賞品球誘導通路の上誘導通路を通り抜けた賞球群は、ベルに衝突してＵターン状に方向転換し、該成形器体の内側面に立設される第３の樋板によって外方側の斜め下方へ誘導されて、該成形器体の内側面に立設される第６の樋板上へ転落し、さらに、この第６の樋板によって前方へ誘導されて後賞品球口及び前賞品球口を経て上皿（上側球貯留部材）内へ放出される。また、賞球が第６の樋板上に充満すると、オーバーフローした賞球は該成形器体の内側面に立設される第５の樋板によって下方へ誘導されてから内方側の斜め下方および下方へ方向転換し、さらに下壁板によって前方へ誘導され、賞品球誘導通路の下誘導路および第２球出口を通り抜けて下皿（下側球貯留部材）へ放出されるパチンコ機がある（例えば、特許文献１参照。）。
これにより、賞球群が成形器体内を方向転換しながら通り抜けるので、賞球群が成形器体に加える衝撃力を賞球が方向転換する毎に緩和することができ、成形器体が賞球群によって受ける衝撃作用を軽減して成形器体を過大な衝撃作用から防護することができる。
ここで、従来の上記パチンコ機を構成する成形器体は、後記の特許文献１の図５及び図９に記載の成形器体７０に相当する。また、該パチンコ機を構成する裏枠は、後記特許文献１の図５に記載の裏枠４０に相当する。また、該パチンコ機を構成する、上誘導通路、ベル、第３の樋板、第６の樋板、後賞品球口、前賞品球口、第５の樋板、下壁板、下誘導路、第２球出口は、後記特許文献１の図８及び図９に記載の上誘導通路８０ａ、ベル８９、第３の樋７２ｃ、第６の樋板７２ｆ、後賞品球口５７、前賞品球口２０、第５の樋板７２ｅ、下壁板７１ｃ、下誘導路８０ｂ、第２球出口７７Ｂに相当する。
【特許文献１】特開平７−３２８２０５号公報（段落（００６０）〜（００６２）、図４、図５、図８、図９）
【発明の開示】
【発明が解決しようとする課題】
【０００３】
しかしながら、上述した遊技機では、賞球が第６の樋板上に充満していない状態で、第３の樋板から第６の樋板上に落下した賞球が外壁板で跳ね返った場合には、外壁板による反発力が強いため、この第６の樋板の側端縁部を飛び越えて第５の樋板上に落下して、下方へ誘導され下皿に排出されることがある。この場合には、遊技者は遊技中であるにも拘わらず、下皿から賞球を拾って上皿に戻さなくてはならないため煩わしく、引いては遊技に集中できず興趣を失わせるという問題がある。また、上皿内のパチンコ球が少ない場合には、払い出された賞球が円滑に供給されないため、一時的な球切れ状態が発生して入賞チャンスを逃す虞があるという問題がある。
【０００４】
そこで、本発明は、上述した問題点を解決するためになされたものであり、払出停留部に賞球が充満していない場合に、この払出停留部に落下した賞球が奥側側壁部で跳ね返っても払出停留部内に留まり、払い出された賞球を確実に上側球貯留部材内に供給できる遊技機を提供することを目的とする。
【課題を解決するための手段】
【０００５】
前記目的を達成するため請求項１に係る遊技機は、遊技機の前面側に突出して設けられて、払い出される賞球を受ける上側球貯留部材と、前記上側球貯留部材の下側に配置される下側球貯留部材と、賞球を払い出す賞球払出手段と、遊技機の裏面側に配設される機構セット部材と、を備え、前記機構セット部材は、前側壁面部に穿設されて前記上側球貯留部材の賞球入口部に連通する第１貫通孔と、左右側壁部のいずれか一側の側壁部に下端縁部より所定高さ上側の位置から前後方向の全幅に渡って上方向に所定寸法切り欠かれて形成される第２貫通孔と、が設けられる略箱体状の払出停留部と、前記賞球払出手段から払い出される賞球を該払出停留部まで案内し、賞球の流出側端縁部が、前記第２貫通孔に対向するように設けられる第１賞球誘導通路部と、前記第２貫通孔から溢れた賞球を前記下側球貯留部材に案内するように設けられる第２賞球誘導通路部と、を有し、前記払出停留部の左右側壁部のうち他側の側壁部は、内側面が前記第１貫通孔側方向に傾斜して立設されていることを特徴とする。
【０００６】
このような特徴を有する請求項１に係る遊技機においては、賞球払出手段から払い出された賞球は、第１賞球誘導通路部を経て、略箱体状に形成される払出停留部の左右側壁部のいずれか一側の側壁部に下端縁部より所定高さ上側の位置から前後方向の全幅に渡って上方向に所定寸法切り欠かれて形成される第２貫通孔に飛び込み、該払出停留部内に落下する。そして、この払出停留部の底面部で跳ね返って、さらに左右側壁部のうち他側の側壁部で跳ね返る等した賞球は、この他側の側壁部の内側面が第１貫通孔側方向に傾斜して立設されているため、該他側の側壁部に当たった後、第１貫通孔側方向の払出停留部内に落下し、この跳ね返った賞球は、確実にその後、該払出停留部の前側壁面部に穿設された第１貫通孔を経て、上側球貯留部材内に放出される。また、この払出停留部に賞球が充満した場合には、更に払い出される賞球は、第２貫通孔から第２賞球誘導通路部内に流入し、下側球貯留部材内に案内される。
【０００７】
また、請求項２に係る遊技機は、請求項１に記載の遊技機において、前記払出停留部の他側の側壁部は、内側面の前側側端縁部が前記第１貫通孔より所定寸法左右方向外側の位置に設けられていることを特徴とする。
【０００８】
このような特徴を有する請求項２に係る遊技機では、賞球払出手段から払い出された賞球は、第１賞球誘導通路部を経て、略箱体状に形成される払出停留部の左右側壁部のいずれか一側の側壁部に下端縁部より所定高さ上側の位置から前後方向の全幅に渡って上方向に所定寸法切り欠かれて形成される第２貫通孔に飛び込み、該払出停留部内に落下する。そして、この払出停留部の底面部で跳ね返って、更に内側面の前側側端縁部が第１貫通孔より所定寸法左右方向外側の位置に設けられた左右側壁部のうち他側の側壁部で跳ね返る。その後、払出停留部の底面部に落下して、該払出停留部の前側壁面部に穿設された第１貫通孔を経て、上側球貯留部材内に放出される。また、この払出停留部に賞球が充満した場合には、更に払い出される賞球は、第２貫通孔から第２賞球誘導通路部内に流入し、下側球貯留部材内に案内される。
【０００９】
また、請求項３に係る遊技機は、請求項２に記載の遊技機において、前記所定寸法は、少なくとも遊技球の半径寸法以上であることを特徴とする。
【００１０】
このような特徴を有する請求項３に係る遊技機では、払出停留部の他側の側壁部（奥側の側壁部）の内側面の前側側端縁部は、第１貫通孔の左右側端縁部のうち前記第２貫通孔側とは反対側の側端縁部より少なくとも遊技球の半径寸法以上、左右方向外側の位置に設けられているため、この払出停留部の底面部で跳ね返った後、該他側の側壁部の内側面で再度跳ね返って、払出停留部の底面部に落下する賞球の移動可能距離は、遊技球の直径寸法以上になる。
【００１１】
また、請求項４に係る遊技機は、請求項２又は請求項３に記載の遊技機において、前記他側の側壁部は、内側面の前側側端縁部が上側方向に行くに従って前記第１貫通孔側方向に傾斜していることを特徴とする。
【００１２】
このような特徴を有する請求項４に係る遊技機では、払出停留部の左右側壁部のうち他側の側壁部（奥側の側壁部）は、上側方向に行くに従って第１貫通孔側方向に傾斜しているため、払出停留部内に落下して、この払出停留部の底面部で跳ね返って、さらに他側の側壁部で跳ね返った賞球は、払出停留部の底面部で跳ね返った位置よりも他側の側壁部に近い位置に落下する。
【００１３】
また、請求項５に係る遊技機は、請求項１乃至請求項３のいずれかに記載の遊技機において、前記他側の側壁部は、内側面の前側側端縁部が正面視外側方向に突出する略半円弧状に形成されていることを特徴とする。
【００１４】
このような特徴を有する請求項５に係る遊技機では、払出停留部の左右側壁部のうち他側の側壁部（奥側の側壁部）は、内側面の前側側端縁部が正面視外側方向に突出する略半円弧状に形成されているため、払出停留部内に落下して、この払出停留部の底面部で跳ね返って、さらに他側の側壁部の正面視略半円弧状の上下方向中央部よりも下側の部分に当たった場合には、該他側の側壁部上を転動落下し、第１貫通孔側方向に転動する。また、他側の側壁部の正面視略半円弧状の上下方向中央部よりも上側の部分で跳ね返った賞球は、急角度で第１貫通孔側方向に跳ね返る。
【００１５】
更に、請求項６に係る遊技機は、請求項１乃至請求項５のいずれかに記載の遊技機において、前記払出停留部は、底面部が前記第２貫通孔側方向に低くなるように傾斜し、前記第１貫通孔の左右側端縁部のうち該第２貫通孔側の側端縁部は、該払出停留部の左右側壁部のうち前記一側の側壁部にほぼ対向する位置に設けられていることを特徴とする。
【００１６】
このような特徴を有する請求項６に係る遊技機では、払出停留部は、底面部が第２貫通孔側方向に低くなるように傾斜し、第１貫通孔の該第２貫通孔側の側端縁部は、該払出停留部の左右側壁部のうち一側の側壁部にほぼ対向する位置に設けられているため、払出停留部の底面部に落下した賞球は、該払出停留部の一側の側壁部に沿って第１貫通孔内に確実に転動する。
【発明の効果】
【００１７】
請求項１に係る遊技機では、払出停留部に賞球が充満していない場合には、第１賞球誘導通路部の流出側端縁部からこの払出停留部に落下した賞球が奥側の側壁部で跳ね返っても該払出停留部内の第１貫通孔側方向に落下するため、払い出された賞球を確実に上側球貯留部材内に供給することができ、遊技者の遊技への集中を妨げることがなく、興趣を維持することが可能な遊技機を提供することができる。また、上側球貯留部材内の遊技球が少ない場合において、払い出された賞球を該上側球貯留部材に円滑に供給することができ、入賞チャンスを確実に獲得することが可能な遊技機を提供することができる。一方、払出停留部に賞球が充満した場合には、第２貫通孔から溢れた賞球は、第２賞球誘導通路部を経て下側球貯留部材に放出されるため、払出停留部での球詰まりを防止して遊技の中断を確実に防止でき、遊技者の遊技への集中を妨げることがなく、興趣を維持することが可能な遊技機を提供することができる。
【００１８】
また、請求項２に係る遊技機では、賞球払出手段から払い出され、第１賞球誘導通路部及び第２貫通孔を経て、払出停留部の底面部で跳ね返った後、さらに他側の側壁部で跳ね返る等した賞球は、払出停留部の他側の側壁部は、内側面の前側側端縁部が第１貫通孔より所定寸法左右方向外側の位置に設けられると共に、この他側の側壁部の内側面が第１貫通孔側方向に近づくように傾斜して立設されているため、該他側の側壁部に当たる衝撃力を弱められると共に、この他側の側壁部から第２貫通孔までの距離が遠くなり、この跳ね返った賞球は、より確実に払出停留部内の第１貫通孔側方向の底面部に落下し、その後、該払出停留部の前側壁面部に穿設された第１貫通孔を経て、上側球貯留部材内に更に確実に供給することができ、遊技者の遊技への集中を妨げることがなく、興趣を維持することが可能な遊技機を提供することができる。また、上側球貯留部材内の遊技球が少ない場合において、払い出された賞球を該上側球貯留部材に更に円滑に供給することができ、入賞チャンスをより確実に獲得することが可能な遊技機を提供することができる。一方、払出停留部に賞球が充満した場合には、第２貫通孔から溢れた賞球は、第２賞球誘導通路部を経て下側球貯留部材に放出されるため、払出停留部での球詰まりを防止して遊技の中断を確実に防止でき、遊技者の遊技への集中を妨げることがなく、興趣を維持することが可能な遊技機を提供することができる。
【００１９】
また、請求項３に係る遊技機では、払出停留部内に落下して、この払出停留部の底面部で跳ね返って、さらに他側の側壁部で跳ね返って、第２貫通孔側に落下する賞球の移動可能距離は、確実に遊技球の直径寸法以上延長されるため、この跳ね返ってきた賞球が第２貫通孔から外側方向に飛び出すのをより確実に防止することが可能な遊技機を提供することができる。また、他側の側壁部の第１貫通孔側方向への傾斜角度を更に大きくすることができ、該他側の側壁部の内側面に当たった賞球をより確実に第１貫通孔側方向に跳ね返すことができるため、賞球を上側球貯留部材内に更に確実に供給することができ、遊技者の遊技への集中を妨げることがなく、興趣を維持することが可能な遊技機を提供することができる。
【００２０】
また、請求項４に係る遊技機では、払出停留部の左右側壁部のうち他側の側壁部（奥側の側壁部）は、上側方向に行くに従って第１貫通孔側方向に傾斜しているため、払出停留部内に落下して、この払出停留部の底面部で跳ね返って、さらに他側の側壁部で跳ね返った賞球は、払出停留部の底面部で跳ね返った位置よりも他側の側壁部に近い位置に落下して勢いが更に弱められ、この跳ね返る賞球が第２貫通孔から外側方向に飛び出すのを更に確実に防止することが可能な遊技機を提供することができる。また、賞球を第１貫通孔を介して上側球貯留部材内に更に確実に供給することができ、遊技者の遊技への集中を妨げることがなく、興趣を維持することが可能な遊技機を提供することができる。
【００２１】
また、請求項５に係る遊技機では、払出停留部の左右側壁部のうち他側の側壁部（奥側の側壁部）は、内側面の前側側端縁部が正面視外側方向に突出する略半円弧状に形成されているため、払出停留部内に落下して、この払出停留部の底面部で跳ね返って、さらに他側の側壁部の正面視略半円弧状の上下方向中央部よりも下側の部分に当たった場合には、該他側の側壁部上を転動落下し、第１貫通孔側方向に転動するため、第２貫通孔に到達するのが困難になり、該第２貫通孔から外側方向に飛び出すのを更に確実に防止することが可能な遊技機を提供することができる。また、他側の側壁部の正面視略半円弧状の上下方向中央部よりも上側の部分で跳ね返った賞球は、急角度で第１貫通孔側方向に跳ね返るため、この払出停留部の第１貫通孔側方向により近い底面部に当たって勢いが更に弱められ、この跳ね返る賞球が第２貫通孔から外側方向に飛び出すのを更に確実に防止することが可能な遊技機を提供することができる。また、賞球を第１貫通孔を介して上側球貯留部材内に更に確実に供給することができ、遊技者の遊技への集中を妨げることがなく、興趣を維持することが可能な遊技機を提供することができる。
【００２２】
更に、請求項６に係る遊技機では、払出停留部の底面部にある賞球は、この底面部を左右側壁部のうち一側の側壁部側に転動後、この一側の側壁部に沿って転動して確実に第１貫通孔内に流入するため、第１賞球誘導通路部の流出側端縁部から払出停留部内に落下した賞球を確実に上側球貯留部材に供給することができる遊技機を提供することができる。また、賞球を第１貫通孔を介して上側球貯留部材内に更に確実に供給することができ、遊技者の遊技への集中を妨げることがなく、興趣を維持することが可能となると共に、入賞チャンスをより確実に獲得することが可能な遊技機を提供することができる。
【発明を実施するための最良の形態】
【００２３】
以下、本発明に係る遊技機をパチンコ機について具体化した第１実施形態乃至第４実施形態を図面を参照して詳細に説明する。
【実施例１】
【００２４】
先ず、第１実施形態に係るパチンコ機の概略構成について図１及び図２に基づき説明する。
図１及び図２に示すように、第１実施形態に係るパチンコ機は、所定量のパチンコ球を賞球として払い出す、いわゆる第１種パチンコ機で、一般にＣＲ機（カードリーディング機）と称され、パチンコ機１とカード式球貸機３５とによって構成され、これらは対をなして設置される。パチンコ機１は、木製の外枠２に対して木製の内枠３が、内枠取付用ヒンジを構成する上ヒンジ４及び下ヒンジ５を介して外枠２に対して開閉自在に取り付けられている。そして、この内枠３のほぼ上半分の前側には、合成樹脂製の前面カバー部材７が左端縁部の上下を軸支されて開閉自在に取付けられている。また、この前面カバー部材７のほぼ中央部には略円形の窓部（不図示）が開設され、この窓部の外周縁部に形成されるガラス保持枠に装着された２枚のガラスを通して遊技領域を見ることができるように構成されている。また、前面カバー部材７の窓部の上側及び両肩部には、フルカラーの発光ダイオード（ＬＥＤ）が内蔵され、「当たり」等の発生を報知したり遊技中に光演出や遊技中のエラーを表示する電飾ランプ８が取付けられている。
【００２５】
また、この前面カバー部材７の下側には、パチンコ球の払い出しを調節する払い出しステッピングモータ等が内装された賞球ケース１０を介して払い出される賞球を受ける上皿１１が合成樹脂製プレート１２に配設されている。また、このプレート１２は、左端縁部の上下を軸支されて、前面カバー部材７を開放後、内側に設けられた不図示のレバーを下げることにより開放できるように取付けられている。また、この上皿１１の中央前面部には、カード式球貸機３５の操作ボタン及びカード残高表示装置（不図示）が設けられている。そして、その上皿１１の下には、下皿１４が配設される。また、上皿１１に連通する不図示の球送り機構を介して上皿１１のパチンコ球が操作ハンドル１５に連結された発射装置１６へ送られるよう構成されている。
【００２６】
また、この内枠３のほぼ中央部には不図示の遊技盤が着脱自在なように鉄板等の金属製の機構盤１８に取り付けられている。そして、この機構盤１８の裏側には合成樹脂製の機構セット盤２０が開閉自在に蝶番により取り付けられている。
また、パチンコ機１の裏側の背面上方部には、上方に開口した賞球タンク２１が機構セット盤２０に固定されている。賞球タンク２１の直上には補給装置２２が配設され、吐出部２２Ａが垂直に降りている。賞球タンク２１は、傾斜した底面に不図示の連通孔が形成され、その連通孔の下方にはパチンコ球を２列に整列流出し、賞球ケース１０にパチンコ球を送る通路を形成するタンクレール２３が取付けられている。
【００２７】
また、賞球ケース１０へパチンコ球を案内する賞球案内部２４内には、タンクレール２３の下流側のパチンコ球を送る２列の賞球通路が形成されている。
また、賞球ケース１０内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球ケース１０等により賞球及び貸球の払い出しシステムが構成されている。
そして、賞球ケース１０の下流側には、後述のように賞球を上皿１１に案内する賞球案内通路部４１（図４参照）や、賞球タンク２１やタンクレール２３内のパチンコ球を抜くための球抜き通路４２（図４参照）などが形成されている。また、該賞球ケース１０の下方には、上皿１１から溢れて賞球案内通路部４１を流れた賞球を下部受皿ボックス２８まで案内する下皿排出路２７が形成されている（図４参照）。この下皿排出路２７の下端出口近傍の内壁面には、下皿オーバーフロースイッチ２７Ａ（図４参照）が内装されると共に、該下皿排出路２７の下端部には賞球を受けて下皿１４に案内する下部受皿ボックス２８が内枠３の裏側に取り付けられている。また、この下皿排出路２７の横側（図１中、左側）には、入賞球を排出する入賞球排出通路２６が形成されている（図４参照）。
【００２８】
また、タンクレール２３の下側には液晶表示装置（ＬＣＤ）等をカバーする合成樹脂製のセンターカバー３０が取付けられている。そして、このセンターカバー３０の背面部内側には、ＬＣＤ等を駆動制御する表示制御基板３０Ａ、スピーカ等を駆動制御する音制御基板３０Ｂ、及び電飾ランプ８等を駆動制御するランプ制御基板３０Ｃが取り付けられている。また、センターカバー３０の下側には、パチンコ機１の遊技動作を制御する主基板が内蔵される基板ケース３１が配設されている。また、この基板ケース３１の右下には電源基板が内蔵される電源基板ケース３２が配設されている。また、この電源基板ケース３２の上方に配設されるインタフェース基板３３とカード式球貸機３５の背面のコネクタ３６とは、接続コード３７により相互に接続されている。
さらに、機構セット盤２０の上方角部（図１中、右上角部）には、中継基板３９が設けられている。この中継基板３９は、パチンコ機１とホールコンピュータをつなぐ基板である。
【００２９】
次に、機構セット盤２０の概略構成について図３乃至図６に基づいて説明する。
図３及び図４に示すように、機構セット盤２０は、機構盤１８に取り付けられた不図示の遊技盤の裏面に対向する部分に略四角形の開口部２０Ａが開設されている。また、開口部２０Ａの左側の背面部には、センターカバー３０を取り付けるための各取付ボス２５が裏側方向に立設され、この各取付ボス２５にはネジ孔が形成されている。
また、開口部２０Ａの上側の背面部には、左右方向にほぼ等間隔で断面略Ｌ字形の各係合爪Ｓが裏側方向に立設されている。また、開口部２０Ａの左右方向略中央部の上側の背面部には、取付ボス４５が立設され、この取付ボス４５にはネジ孔が形成されている。そして、タンクレール２３は、下端縁部が各係合爪Ｓによって支持されると共に、上端縁部の略中央部が取付ボス４５にネジ止めされて取り付けられている。
【００３０】
また、取付ボス４５の左右斜め上側の背面部には、各取付ボス４６が上下方向に２個ずつ裏側方向に立設され、この各取付ボス４６にはネジ孔が形成されている。そして、賞球タンク２１は、左右端縁部が各取付ボス４６にネジ止めされて取り付けられている。また、機構セット盤２０の上方角部（図４中、右上角部）には、正面視略横長四角形のリブ部４７が立設され、このリブ部４７上に中継基板３９が配設される。
また、開口部２０Ａの右側背面部には、各取付ボス４８が裏側方向に立設され、この各取付ボス４８にはネジ孔が形成されている。そして、各取付ボス４８を介して賞球案内部２４や賞球ケース１０が取り付けられると共に、賞球案内通路部４１及び球抜き通路部４２を覆い、該賞球案内通路部４１及び球抜き通路部４２と協働して賞球が流れる通路を形成する賞球通路カバー部材４９がネジ止めされて取り付けられている。
【００３１】
また、図５及び図６に示すように、賞球案内通路部４１は、賞球ケース１０の球出口から下方に連接されて、パチンコ球の直径寸法よりも少し大きい間隔で上部が正面視略垂直状で中央部及び下部が正面視略Ｓ字状に立設される第１の樋板５１と第２の樋板５２とから構成される第１賞球誘導通路部５３と、この第１賞球誘導通路部５３の流出側端縁部５３Ａに対して所定隙間を形成するように設けられる正面視略四角形の略箱体状の払出停留部５４と、この第１賞球誘導通路部５３の流出側端縁部５３Ａと払出停留部５４の第１賞球誘導通路部５３側の側壁部に連通されて、内方へ前下り状に傾斜して設けられて下皿排出路２７に連接される第２賞球誘導通路部５５と、から構成されている。
【００３２】
また、この払出停留部５４の前側壁面部６６の約下半分の部分には、上皿１１の賞球入口部に連通する正面視略四角形の後球出口５６（第１実施形態では、縦寸法約２３ｍｍ、横寸法約５０ｍｍ〜７０ｍｍの略四角形である。）が穿設されている。また、この払出停留部５４は、第１の樋板５１の下端縁部に連接された状態で、前端部（図５中、左端部）が後球出口５６の内方側側端縁部５６Ａの上方の位置まで少し前下がり状に傾斜して立設される天井壁板５７から構成されている。また、該天井壁板５７の内方側端縁部（図５中、左端縁部）は、所定角度（第１実施形態では、約３０度〜６０度が好ましい。）で斜め外側方向（図５中、紙面に対して斜め右上側方向）に切断された形状に形成されている。
また、この天井壁板５７に連接された状態で、前側側端縁部５８Ａが後球出口５６の内方側側端縁部５６Ａに沿って該後球出口５６の下端縁部まで下方に立設される奥側側壁部５８から構成されている。従って、図６に示すように、この奥側側壁部５８の内側面は、前側壁面部６６の後側面に対して所定角度θ１（第１実施形態では、角度θ１は約３０度〜６０度が好ましい。）を形成するように外側方向（図６中、右側方向）に傾斜して立設されている。即ち、該奥側側壁部５８の内側面は、後球出口５６側方向に傾斜して立設されている。
尚、この所定角度θ１は、９０度より小さい角度であればよい。これにより、該奥側側壁部５８の内側面を後球出口５６側方向に傾斜して立設することができる。
【００３３】
また、この奥側側壁部５８の下端部に連接された状態で、後球出口５６の下端縁部に沿って該後球出口５６の外方側側端縁部５６Ｂまで前下り状に傾斜すると共に、後球出口５６側方向（図５中、紙面に垂直裏側方向）に前下り状に傾斜するように立設される底壁板５９から構成されている。更に、この底壁板５９の外側端縁部（図５中、右端縁部）に連接された状態で、略垂直上方向（図５中、上方向）で後球出口５６の上下方向中央部まで（第１実施形態では、パチンコ球の直径寸法にほぼ等しい、約１１ｍｍの高さ寸法である。）立設される玉留め板６０から構成されている。
これにより、天井壁板５７、奥側側壁部５８、底壁板５９、玉留め板６０、前側壁面部６６及び賞球通路カバー部材４９の裏側面とによって略箱体状の払出停留部５４が構成される。また、天井壁板５７、玉留め板６０、前側壁面部６６、及び賞球通路カバー部材４９の裏側面とによって、高さ寸法がパチンコ球の直径寸法の２倍以上（第１実施形態では、約２２ｍｍ以上）の略四角形の貫通孔６１が、第１賞球誘導通路部５３の流出側端縁部５３Ａに対して所定隙間（第１実施形態では、パチンコ球の直径の約１〜２倍で、約１１ｍｍ〜２２ｍｍの隙間寸法である。）を形成するように設けられる。また、第１賞球誘導通路部５３の流出側端縁部５３Ａは、この貫通孔６１の上方部に対向している（第１実施形態では、底壁板５９から約３０ｍｍの高さの位置に対向している。）。
【００３４】
また、第２賞球誘導通路部５５は、払出停留部５４の底壁板５９の外側端縁部に連接された状態で内方に前下り状に傾斜して立設される天井壁板６３から構成されている。また、第２の樋板５２の下端縁部に連接された状態で略円弧状に外側方向（図５中、右側方向）に湾曲しつつ、払出停留部５４の底壁板５９の外側端縁部よりも下方まで立設される第３の樋板６４から構成されている。また、この第３の樋板６４の下端縁部に連接された状態で内方に前下り状に傾斜して立設される第４の樋板６５から構成されている。
【００３５】
次に、このように構成された機構セット盤２０を取り付けた場合に、賞球払い出し時の賞球案内通路部４１における賞球の転動落下状態の一例を図５及び図６に基づいて説明する。
図５及び図６に示すように、賞球ケース１０から払い出された賞球Ｐ１は、第１賞球誘導通路部５３を下方に転動落下後、下端部で略直角内側方向（矢印Ａ１方向）に方向転換し、該第１賞球誘導通路部５３の流出側端縁部５３Ａから貫通孔６１方向（矢印Ａ２方向）へ放物線状に落下する。そして、払出停留部５４の底壁板５９上に賞球が無い場合には、該底壁板５９に当たって内側方向（矢印Ａ３方向）へ跳ね返って奥側側壁部５８に当たり、再度後球出口５６側方向（矢印Ａ４方向）に跳ね返って落下し、該後球出口５６内（矢印Ａ５方向）へ流出する。
【００３６】
また、払出停留部５４の底壁板５９上に賞球が充満している場合には（図５中、点線丸で示した状態の場合には）、賞球ケース１０から払い出された賞球Ｐ１は、第１賞球誘導通路部５３を下方に転動落下後、下端部で略直角内側方向（矢印Ａ１方向）に方向転換し、該第１賞球誘導通路部５３の流出側端縁部５３Ａから貫通孔６１方向（矢印Ｂ１方向）へ放物線状に落下する。そして、充満した賞球に当たって外側方向（矢印Ｂ２方向）に跳ね返って、第３の樋板６４に当たって、第２賞球誘導通路部５５内を内側方向（矢印Ｂ３、Ｂ４、Ｂ５方向）に転動落下して下皿排出路２７内に転動落下する。
【００３７】
ここで、上皿１１は、上側球貯留部材として機能する。また、下皿１４は、下側球貯留部材として機能する。また、賞球タンク２１、タンクレール２３、賞球案内部２４及び賞球ケース１０は、賞球払出手段を構成する。また、機構セット盤２０は、機構セット部材として機能する。また、後球出口５６は、第１貫通孔として機能する。また、玉留め板６０は、一側の側壁部として機能する。また、奥側側壁部５８は、他側の側壁部として機能する。また、貫通孔６１は、第２貫通孔として機能する。
【００３８】
従って、第１実施形態に係るパチンコ機１では、払出停留部５４に賞球ケース１０から払い出された賞球が充満していない場合には、第１賞球誘導通路部５３の流出側端縁部５３Ａから貫通孔６１を通過して、この払出停留部５４に落下した賞球が奥側側壁部５８で跳ね返っても該払出停留部５４内の後球出口５６側方向に落下するため、払い出された賞球を確実に上皿１１に供給することができ、遊技者の遊技への集中を妨げることがなく、興趣を維持することが可能となる。また、上皿１１内のパチンコ球が少ない場合にも、払い出された賞球を該上皿１１に円滑に供給することができ、入賞チャンスを確実に獲得することができる。
また、払出停留部５４は、底壁板５９が後球出口５６の下端縁部に沿って該後球出口５６の外方側側端縁部５６Ｂまで前下り状に傾斜すると共に、後球出口５６側方向に前下り状に傾斜するように形成されると共に、この底壁板５９の外側端縁部から略垂直上方向に玉留め板６０が立設されている。これにより、払出停留部５４の底壁板５９上にある賞球は、この底壁板５９上を玉留め板６０方向に転動しつつ確実に後球出口５６に流入するため、第１賞球誘導通路部５３の流出側端縁部５３Ａから落下した賞球を確実に上皿１１に供給することができる。
一方、払出停留部５４に賞球が充満した場合には、貫通孔６１から溢れた賞球は、第２賞球誘導通路部５５、下皿排出路２７及び下部受皿ボックス２８を経て下皿１４に放出されるため、払出停留部５４での球詰まりを防止して遊技の中断を確実に防止でき、遊技者の遊技への集中を妨げることがなく、興趣を維持することが可能となる。
【実施例２】
【００３９】
次に、第２実施形態に係るパチンコ機について図７乃至図１０に基づいて説明する。尚、上記第１実施形態に係るパチンコ機１と同一符号は、上記第１実施形態に係るパチンコ機１と同一あるいは相当部分を示すものである。
この第２実施形態に係るパチンコ機の概略構成は、第１実施形態に係るパチンコ機１の構成とほぼ同じ構成である。但し、第２実施形態に係るパチンコ機の機構セット盤の賞球案内通路部の構成は、後述のように第１実施形態に係るパチンコ機１の機構セット盤２０の賞球案内通路部４１の構成と異なっている。
【００４０】
ここで、第２実施形態に係るパチンコ機の機構セット盤の賞球案内通路部の概略構成について図７乃至図１０に基づいて説明する。
図７に示すように、第２実施形態に係るパチンコ機の機構セット盤７０の概略構成は、第１実施形態に係るパチンコ機１の機構セット盤２０の構成とほぼ同じ構成である。但し、機構セット盤７０の賞球案内通路部７１の構成は、第１実施形態に係る機構セット盤２０の賞球案内通路部４１の構成とほぼ同じ構成であるが、払出停留部７２の構成は、第１実施形態に係るパチンコ機１の払出停留部５４の構成と異なっている。
【００４１】
図８及び図９に示すように、正面視略箱体状の払出停留部７２は、第１賞球誘導通路部５３の流出側端縁部５３Ａに対して所定隙間を形成するように設けられている。また、第１の樋板５１の下端部に連接された状態で、前側壁面部６６に正面視略四角形（第２実施形態では、縦寸法約２３ｍｍ、横寸法約５０ｍｍ〜７０ｍｍの略四角形である。）に穿設されて上皿１１の賞球入口部に連通する後球出口５６の内方側側端縁部５６Ａに対して所定距離寸法（第２実施形態では、パチンコ球の半径寸法以上の距離寸法である。望ましくは、パチンコ球の直径の約１．５〜２倍以上で、一般にパチンコ球の直径寸法は約１１ｍｍであることから、約１６．５ｍｍ〜２２ｍｍ以上の距離寸法が望ましい。）を形成するように内側方向まで少し前下がり状に傾斜して立設される天井壁板７３から構成されている。また、該天井壁板７３の内方側端縁部（図９中、左端縁部）は、所定角度（第２実施形態では、約３０度〜６０度）で斜め外側方向に切断された形状に形成されている。
【００４２】
また、該天井壁板７３の内方側端縁部に連接されて後球出口５６の下端縁部とほぼ同じ高さまで下方に立設される奥側側壁部７５から構成されている。よって、奥側側壁部７５の内側面の前側側端縁部７５Ａは、後球出口５６の内方側側端縁部５６Ａよりも所定距離寸法（第２実施形態では、パチンコ球の半径寸法（約５．５ｍｍ）以上の距離寸法である。望ましくは、パチンコ球の直径の約１．５〜２倍以上（約１６．５ｍｍ〜２２ｍｍ以上）の距離寸法である。）内側に設けられている。また、図１０に示すように、この奥側側壁部７５の内側面は、前側壁面部６６の後側面に対して所定角度θ２（第２実施形態では、角度θ２は約３０度〜６０度が好ましい。）を形成するように外側方向（図１０中、右側方向）に傾斜して立設されている。即ち、該奥側側壁部７５の内側面は、後球出口５６側方向に傾斜して立設されている。
尚、この所定角度θ２は、９０度より小さい角度であればよい。これにより、該奥側側壁部７５の内側面を後球出口５６側方向に傾斜して立設することができる。
【００４３】
また、この奥側側壁部７５の下端部に連接された状態で、後球出口５６の下端縁部に沿って該後球出口５６の外方側側端縁部５６Ｂまで前下り状に傾斜すると共に、後球出口５６側方向（図９中、紙面に垂直裏側方向）に前下り状に傾斜するように立設される底壁板７６から構成されている。更に、この底壁板７６の外側端縁部（図９中、右端縁部）に連接された状態で、略垂直上方向（図９中、上方向）で後球出口５６の上下方向中央部まで（第２実施形態では、パチンコ球の直径寸法にほぼ等しい、約１１ｍｍの高さ寸法である。）立設される玉留め板６０から構成されている。
これにより、天井壁板７３、奥側側壁部７５、底壁板５９、玉留め板６０、前側壁面部６６及び賞球通路カバー部材４９の裏側面とによって略箱体状の払出停留部７２が構成される。また、天井壁板７３、玉留め板６０、前側壁面部６６、及び賞球通路カバー部材４９の裏側面とによって、高さ寸法がパチンコ球の直径寸法の２倍以上（第２実施形態では、約２２ｍｍ以上）の略四角形の貫通孔６１が、第１賞球誘導通路部５３の流出側端縁部５３Ａに対して所定隙間（第２実施形態では、パチンコ球の直径の約１〜２倍で、約１１ｍｍ〜２２ｍｍの隙間寸法である。）を形成するように設けられる。また、第１賞球誘導通路部５３の流出側端縁部５３Ａは、この貫通孔６１の上方部に対向している（第２実施形態では、底壁板７６から約３０ｍｍの高さの位置に対向している。）。
【００４４】
また、第２賞球誘導通路部５５は、払出停留部７２の底壁板７６の外側端縁部に連接された状態で内方に前下り状に傾斜して立設される天井壁板６３から構成されている。また、第２の樋板５２の下端縁部に連接された状態で略円弧状に外側方向（図９中、右側方向）に湾曲しつつ、払出停留部７２の底壁板７６の外側端縁部よりも下方まで立設される第３の樋板６４から構成されている。また、この第３の樋板６４の下端縁部に連接された状態で内方に前下り状に傾斜して立設される第４の樋板６５から構成されている。
【００４５】
次に、このように構成された機構セット盤７０を取り付けた場合に、賞球払い出し時の賞球案内通路部７１における賞球の転動落下状態の一例を図９及び図１０に基づいて説明する。
図９及び図１０に示すように、賞球ケース１０から払い出された賞球Ｑ１は、第１賞球誘導通路部５３を下方に転動落下後、下端部で略直角内側方向（矢印Ｃ１方向）に方向転換し、該第１賞球誘導通路部５３の流出側端縁部５３Ａから貫通孔６１方向（矢印Ｃ２方向）へ放物線状に落下する。そして、払出停留部７２の底壁板７６上に賞球が無い場合には、該底壁板７６に当たって内側方向（矢印Ｃ３方向）へ跳ね返って奥側側壁部７５に当たり、再度後球出口５６側方向（矢印Ｃ４方向）に跳ね返って落下し、該後球出口５６内（矢印Ｃ５方向）へ流出する。ここで、奥側側壁部７５は、後球出口５６の内方側側端縁部５６Ａよりも所定距離寸法（第２実施形態では、パチンコ球の半径寸法（約５．５ｍｍ）以上の距離寸法である。望ましくは、パチンコ球の直径の約１．５〜２倍以上（約１６．５ｍｍ〜２２ｍｍ以上）の距離寸法である。）内側の位置に立設されているため、確実に最初に落下した位置よりも内側に落下して、後球出口５６方向（矢印Ｃ５方向）へ流出する。
【００４６】
また、払出停留部７２の底壁板７６上に賞球が充満している場合には（図９中、点線丸で示した状態の場合には）、賞球ケース１０から払い出された賞球Ｑ１は、第１賞球誘導通路部５３を下方に転動落下後、下端部で略直角内側方向（矢印Ｃ１方向）に方向転換し、該第１賞球誘導通路部５３の流出側端縁部５３Ａから貫通孔６１方向（矢印Ｂ１方向）へ放物線状に落下する。そして、充満した賞球に当たって外側方向（矢印Ｂ２方向）に跳ね返って、第３の樋板６４に当たって、第２賞球誘導通路部５５内を内側方向（矢印Ｂ３、Ｂ４、Ｂ５方向）に転動落下して下皿排出路２７内に転動落下する。
【００４７】
ここで、上皿１１は、上側球貯留部材として機能する。また、下皿１４は、下側球貯留部材として機能する。また、賞球タンク２１、タンクレール２３、賞球案内部２４及び賞球ケース１０は、賞球払出手段を構成する。また、機構セット盤７０は、機構セット部材として機能する。また、後球出口５６は、第１貫通孔として機能する。また、玉留め板６０は、一側の側壁部として機能する。また、奥側側壁部７５は、他側の側壁部として機能する。また、貫通孔６１は、第２貫通孔として機能する。
【００４８】
従って、第２実施形態に係るパチンコ機では、払出停留部７２の奥側側壁部７５は、内側面の前側側端縁部７５Ａが後球出口５６より少なくともパチンコ球の半径寸法（約５．５ｍｍ）以上（望ましくは、パチンコ球の直径（約１１ｍｍ）の約１．５〜２倍以上の距離寸法である。）左右方向外側の位置に設けられると共に、この奥側側壁部７５の内側面が後球出口５６側方向に傾斜して立設されている。このため、賞球ケース１０から払い出された賞球が第１賞球誘導通路部５３及び貫通孔６１を経て、払出停留部７２の底壁板７６で跳ね返った後、さらに奥側側壁部７５で跳ね返る等した賞球は、該奥側側壁部７５に当たる衝撃力を弱められると共に、この奥側側壁部７５から貫通孔６１までの距離が遠くなり、この跳ね返った賞球は、より確実に払出停留部７２内の後球出口５６側方向の底面部に落下し、その後、該払出停留部７２の前側壁面部６６に穿設された後球出口５６を経て、上皿１１内に確実に供給することができ、遊技者の遊技への集中を妨げることがなく、興趣を維持することが可能となる。
【００４９】
また、払出停留部７２の奥側側壁部７５は、内側面の前側側端縁部７５Ａが後球出口５６の内方側側端縁部５６Ａより少なくともパチンコ球の半径寸法（約５．５ｍｍ）以上（望ましくは、パチンコ球の直径（約１１ｍｍ）の約１．５〜２倍以上）左右方向外側の位置に設けられるため、該奥側側壁部７５の後球出口５６側方向への傾斜角度を大きくすることができ、該奥側側壁部７５の内側面に当たった賞球をより確実に後球出口５６側方向に跳ね返すことができるため、賞球を上皿１１内に更に確実に供給することができる。これにより、上皿１１内のパチンコ球が少ない場合において、払い出された賞球を該上皿１１に更に円滑に供給することができ、入賞チャンスをより確実に獲得することが可能となる。
さらに、払出停留部７２は、底壁板７６が後球出口５６の下端縁部に沿って該後球出口５６の外方側側端縁部５６Ｂまで前下り状に傾斜すると共に、後球出口５６側方向に前下り状に傾斜するように形成され、更に、この底壁板７６の外側端縁部から略垂直上方向に玉留め板６０が立設されている。これにより、払出停留部７２の底壁板７６上にある賞球は、この底壁板７６上を玉留め板６０方向に転動しつつ確実に後球出口５６に流入するため、第１賞球誘導通路部５３の流出側端縁部５３Ａから払出停留部７２内に落下した賞球を確実に上皿１１に供給することができる。
一方、払出停留部７２に賞球が充満した場合には、貫通孔６１から溢れた賞球は、第２賞球誘導通路部５５、下皿排出路２７及び下部受皿ボックス２８を経て下皿１４に放出されるため、払出停留部７２での球詰まりを防止して遊技の中断を確実に防止でき、遊技者の遊技への集中を妨げることがなく、興趣を維持することが可能となる。
【実施例３】
【００５０】
次に、第３実施形態に係るパチンコ機について図１１及び図１２に基づいて説明する。尚、上記第２実施形態に係るパチンコ機と同一符号は、上記第２実施形態に係るパチンコ機と同一あるいは相当部分を示すものである。
この第３実施形態に係るパチンコ機の概略構成は、第２実施形態に係るパチンコ機の構成とほぼ同じ構成である。但し、第３実施形態に係るパチンコ機の機構セット盤の賞球案内通路部の構成は、後述のように第２実施形態に係るパチンコ機の機構セット盤７０の賞球案内通路部７１の構成と異なっている。
【００５１】
ここで、第３実施形態に係るパチンコ機の機構セット盤の賞球案内通路部の概略構成について図１１及び図１２に基づいて説明する。
図１１及び図１２に示すように、第３実施形態に係るパチンコ機の機構セット盤８０の賞球案内通路部８１の構成は、第２実施形態に係るパチンコ機の機構セット盤７０の賞球案内通路部７１の構成とほぼ同じ構成である。但し、払出停留部８２の構成は、第２実施形態に係るパチンコ機の払出停留部７２の構成と異なっている。
【００５２】
この正面視略台形の略箱体状の払出停留部８２は、第１賞球誘導通路部５３の流出側端縁部５３Ａに対して所定隙間を形成するように設けられ、第１の樋板５１の下端部に連接された状態で、前側壁面部６６に正面視略四角形（第３実施形態では、縦寸法約２３ｍｍ、横寸法約５０ｍｍ〜７０ｍｍの略四角形である。）に穿設されて上皿１１の賞球入口部に連通する後球出口５６の内方側側端縁部５６Ａの上方まで少し前下がり状に傾斜して立設される天井壁板８３から構成されている。また、該天井壁板８３の内方側端縁部に連接された状態で、前側側端縁部８５Ａの下端部が後球出口５６の内方側側端縁部５６Ａの上下方向中央部に対して所定距離寸法（第３実施形態では、パチンコ球の半径寸法（約５．５ｍｍ）以上の距離寸法である。望ましくは、パチンコ球の直径（約１１ｍｍ）の約１．５〜２倍以上の距離寸法である。）を形成するように斜め下方向（図１１中、左斜め下方向）に立設される奥側側壁部８５から構成されている。また、この奥側側壁部８５の下端縁部に連接された状態で、前側側端縁部８６Ａが略円弧状に外側方向（図１１中、左側方向）に湾曲しつつ、後球出口５６の下端縁部とほぼ同じ高さまで下方に立設される円弧部８６から構成されている。
これら奥側側壁部８５及び円弧部８６の内側面は、水平断面略円弧状で後側側端縁部（図１２中、下側側端縁部）は、後球出口５６の内方側側端縁部５６Ａにほぼ対向するように形成されている（図１２参照）。これにより、図１２に示すように、奥側側壁部８５及び円弧部８６の内側面は、外側方向に突出する水平断面略円弧状に形成され、この奥側側壁部８５及び円弧部８６の内側面の任意の点の水平方向接線と前側壁面部６６の後側面との成す角度θ３は、９０度よりも小さい角度を形成するように構成されている。尚、奥側側壁部８５及び円弧部８６の内側面は、任意の点における水平方向接線が前側壁面部６６の後側面に対して９０度よりも小さい角度を形成する任意の曲線で形成してもよい。
【００５３】
また、該円弧部８６の下端縁部に連接された状態で、後球出口５６の下端縁部に沿って該後球出口５６の外方側側端縁部５６Ｂまで前下り状に傾斜すると共に、後球出口５６側方向（図１１中、紙面に垂直裏側方向）に前下り状に傾斜するように立設される底壁板８７から構成されている。更に、この底壁板８７の外側端縁部に連接された状態で、略垂直上方向（図１１中、上方向）で後球出口５６の上下方向中央部まで（第３実施形態では、パチンコ球の直径寸法にほぼ等しい、約１１ｍｍの高さ寸法である。）立設される玉留め板６０から構成されている。
これにより、天井壁板８３、奥側側壁部８５、円弧部８６、底壁板８７、玉留め板６０、前側壁面部６６及び賞球通路カバー部材４９の裏側面とによって正面視略台形の略箱体状の払出停留部８２が構成される。また、天井壁板８３、玉留め板６０、前側壁面部６６、及び賞球通路カバー部材４９の裏側面とによって、高さ寸法がパチンコ球の直径寸法の２倍以上（第３実施形態では、約２２ｍｍ以上）の略四角形の貫通孔６１が、第１賞球誘導通路部５３の流出側端縁部５３Ａに対して所定隙間（第３実施形態では、パチンコ球の直径の約１〜２倍で、約１１ｍｍ〜２２ｍｍの隙間寸法である。）を形成するように設けられる。また、第１賞球誘導通路部５３の流出側端縁部５３Ａは、この貫通孔６１の上方部に対向している（第３実施形態では、底壁板７６から約３０ｍｍの高さの位置に対向している。）。
【００５４】
次に、このように構成された機構セット盤８０を取り付けた場合に、賞球払い出し時の賞球案内通路部８１における賞球の転動落下状態の一例を図１１及び図１２に基づいて説明する。
図１１及び図１２に示すように、賞球ケース１０から払い出された賞球Ｒ１は、第１賞球誘導通路部５３を下方に転動落下後、下端部で略直角内側方向（矢印Ｄ１方向）に方向転換し、該第１賞球誘導通路部５３の流出側端縁部５３Ａから貫通孔６１方向（矢印Ｄ２方向）へ放物線状に落下する。そして、払出停留部８２の底壁板８７上に賞球が無い場合には、該底壁板８７に当たって内側方向（矢印Ｄ３方向）へ跳ね返って奥側側壁部８５や円弧部８６に当たり、再度ほぼ真下方向で後球出口５６側方向に（矢印Ｄ４方向）に跳ね返る。そして、底壁板８７上に最初に落下した位置よりも確実に内側に落下して、後球出口５６方向（矢印Ｄ５方向）へ流出する。
【００５５】
また、払出停留部８２の底壁板８７上に賞球が充満している場合には（図１１中、点線丸で示した状態の場合には）、第２実施形態と同様に、賞球ケース１０から払い出された賞球Ｒ１は、第１賞球誘導通路部５３を下方に転動落下後、下端部で略直角内側方向（矢印Ｄ１方向）に方向転換し、該第１賞球誘導通路部５３の流出側端縁部５３Ａから貫通孔６１方向（矢印Ｂ１方向）へ放物線状に落下する。そして、充満した賞球に当たって外側方向（矢印Ｂ２方向）に跳ね返って、第３の樋板６４に当たって、第２賞球誘導通路部５５内を内側方向（矢印Ｂ３、Ｂ４、Ｂ５方向）に転動落下して下皿排出路２７内に転動落下する。
【００５６】
ここで、上皿１１は、上側球貯留部材として機能する。また、下皿１４は、下側球貯留部材として機能する。また、賞球タンク２１、タンクレール２３、賞球案内部２４及び賞球ケース１０は、賞球払出手段を構成する。また、機構セット盤８０は、機構セット部材として機能する。また、後球出口５６は、第１貫通孔として機能する。また、玉留め板６０は、一側の側壁部として機能する。また、奥側側壁部８５及び円弧部８６は、他側の側壁部を構成する。また、貫通孔６１は、第２貫通孔として機能する。
【００５７】
従って、第３実施形態に係るパチンコ機では、払出停留部８２に賞球ケース１０から払い出された賞球が充満していない場合には、第１賞球誘導通路部５３の流出側端縁部５３Ａから貫通孔６１を通過し、この払出停留部８２の底壁板８７で跳ね返って奥側側壁部８５に当たった賞球は、該奥側側壁部８５が上側方向に行くに従って後球出口５６側に傾斜しているため、払出停留部８２の底面部で跳ね返った位置よりも奥側側壁部８５に近い位置に落下して底壁板８７に当たり、勢いが更に弱められ、この跳ね返る賞球が貫通孔６１から外側方向に飛び出すのを確実に防止することが可能となる。また、奥側側壁部８５及び円弧部８６の内側面は、水平断面略円弧状で後側側端縁部は、後球出口５６の内方側側端縁部５６Ａにほぼ対向するように形成されるため、払出停留部８２の底壁板８７で跳ね返って奥側側壁部８５に当たった賞球は、後球出口５６側方向の底壁板８７上に落下し、その後、該払出停留部８２の前側壁面部６６に穿設された後球出口５６を経て、上皿１１内に確実に供給することができ、遊技者の遊技への集中を妨げることがなく、興趣を維持することが可能となる。
【００５８】
また、払出停留部８２の円弧部８６は、内側面の前側側端縁部８６Ａが後球出口５６より少なくともパチンコ球の半径寸法（約５．５ｍｍ）以上（望ましくは、パチンコ球の直径（約１１ｍｍ）の約１．５〜２倍以上）左右方向外側の位置に設けられるため、奥側側壁部８５の後球出口５６側方向への傾斜角度を大きくすることができ、該奥側側壁部８５の内側面に当たった賞球をより真下方向で且つ後球出口５６側方向に跳ね返すことができると共に、底壁板８７で跳ね返って更に奥側側壁部８５で跳ね返って落下する賞球の移動可能距離は、確実にパチンコ球の直径寸法（約１１ｍｍ）以上（望ましくは、パチンコ球の直径寸法（約１１ｍｍ）の約３倍以上）延長されるため、この跳ね返ってきた賞球が貫通孔６１から外側方向に飛び出すのを防止し、該賞球を上皿１１内に更に確実に供給することができる。これにより、上皿１１内のパチンコ球が少ない場合において、払い出された賞球を該上皿１１に円滑に供給することができ、入賞チャンスをより確実に獲得することが可能となる。
【００５９】
さらに、払出停留部８２は、底壁板８７が後球出口５６の下端縁部に沿って該後球出口５６の外方側側端縁部５６Ｂまで前下り状に傾斜すると共に、後球出口５６側方向に前下り状に傾斜するように形成され、更に、この底壁板８７の外側端縁部から略垂直上方向に玉留め板６０が立設されている。これにより、払出停留部８２の底壁板８７上にある賞球は、この底壁板８７上を玉留め板６０方向に転動しつつ確実に後球出口５６に流入するため、第１賞球誘導通路部５３の流出側端縁部５３Ａから払出停留部８２内に落下した賞球を確実に上皿１１に供給することができる。
一方、払出停留部８２に賞球が充満した場合には、貫通孔６１から溢れた賞球は、第２賞球誘導通路部５５、下皿排出路２７及び下部受皿ボックス２８を経て下皿１４に放出されるため、払出停留部８２での球詰まりを防止して遊技の中断を確実に防止でき、遊技者の遊技への集中を妨げることがなく、興趣を維持することが可能となる。
【実施例４】
【００６０】
次に、第４実施形態に係るパチンコ機について図１３及び図１４に基づいて説明する。尚、上記第２実施形態に係るパチンコ機と同一符号は、上記第２実施形態に係るパチンコ機と同一あるいは相当部分を示すものである。
この第４実施形態に係るパチンコ機の概略構成は、第２実施形態に係るパチンコ機の構成とほぼ同じ構成である。但し、第４実施形態に係るパチンコ機の機構セット盤の賞球案内通路部の構成は、後述のように第２実施形態に係るパチンコ機の機構セット盤７０の賞球案内通路部７１の構成と異なっている。
【００６１】
ここで、第４実施形態に係るパチンコ機の機構セット盤の賞球案内通路部の概略構成について図１３及び図１４に基づいて説明する。
図１３及び図１４に示すように、第４実施形態に係るパチンコ機の機構セット盤９０の賞球案内通路部９１の構成は、第２実施形態に係るパチンコ機の機構セット盤７０の賞球案内通路部７１の構成とほぼ同じ構成である。但し、払出停留部９２の構成は、第２実施形態に係るパチンコ機の払出停留部７２の構成と異なっている。
【００６２】
この払出停留部９２は、第１賞球誘導通路部５３の流出側端縁部５３Ａに対して所定隙間を形成するように設けられ、第１の樋板５１の下端縁部に連接された状態で、前側壁面部６６に正面視略四角形（第４実施形態では、縦寸法約２３ｍｍ、横寸法約５０〜７０ｍｍの略四角形である。）に穿設されて上皿１１の賞球入口部に連通する後球出口５６の内方側側端縁部５６Ａに対して所定距離寸法（第４実施形態では、パチンコ球の半径寸法（約５．５ｍｍ）以上の距離寸法である。望ましくは、パチンコ球の直径（約１１ｍｍ）の約１．５〜２倍以上（約１６．５ｍｍ〜２２ｍｍ以上）の距離寸法である。）を形成するように内側方向まで少し前下がり状に傾斜して立設される天井壁板９３から構成されている。また、該天井壁板９３の内方側端縁部（図１３中、左端縁部）は、所定曲率半径の円弧状で斜め外側方向に切断された形状に形成されている。
【００６３】
また、該天井壁板９３の内方側端縁部に連接された状態で、前側側端縁部９４Ａが内側方向（図１３中、左側方向）へ正面視略半円弧状に突出するように後球出口５６の下端縁部とほぼ同じ高さまで下方に立設される奥側側壁部９４から構成されている。この奥側側壁部９４の内側面は、水平断面略円弧状で後側側端縁部（図１４中、下側側端縁部）は、後球出口５６の内方側側端縁部５６Ａにほぼ対向するように形成されている（図１４参照）。これにより、図１４に示すように、奥側側壁部９４の内側面は、外側方向に突出する水平断面略円弧状に形成され、この奥側側壁部９４の内側面の任意の点の水平方向接線と前側壁面部６６の後側面との成す角度θ４は、９０度よりも小さい角度を形成するように構成されている。尚、奥側側壁部９４の内側面は、任意の点における水平方向接線が前側壁面部６６の後側面に対して９０度よりも小さい角度を形成する任意の曲線で形成してもよい。
また、この奥側側壁部９４の下端部に連接された状態で、後球出口５６の下端縁部に沿って該後球出口５６の外方側側端縁部５６Ｂまで前下り状に傾斜すると共に、後球出口５６側方向（図１３中、紙面に垂直裏側方向）に前下り状に傾斜するように立設される底壁板９５から構成されている。更に、この底壁板９５の外側端縁部に連接された状態で、略垂直上方向（図１３中、上方向）で後球出口５６の上下方向中央部まで（第４実施形態では、パチンコ球の直径寸法にほぼ等しい、約１１ｍｍの高さ寸法である。）立設される玉留め板６０から構成されている。
これにより、天井壁板９３、奥側側壁部９４、底壁板９５、玉留め板６０、前側壁面部６６及び賞球通路カバー部材４９の裏側面とによって略箱体状の払出停留部９２が構成される。また、天井壁板９３、玉留め板６０、前側壁面部６６、及び賞球通路カバー部材４９の裏側面とによって、高さ寸法がパチンコ球の直径寸法の２倍以上（第４実施形態では、約２２ｍｍ以上）の略四角形の貫通孔６１が、第１賞球誘導通路部５３の流出側端縁部５３Ａに対して所定隙間（第４実施形態では、パチンコ球の直径（約１１ｍｍ）の約１〜２倍で、約１１ｍｍ〜２２ｍｍの隙間寸法である。）を形成するように設けられる。また、第１賞球誘導通路部５３の流出側端縁部５３Ａは、この貫通孔６１の上方部に対向している（第４実施形態では、底壁板９５から約３０ｍｍの高さの位置に対向している。）。
【００６４】
また、第２賞球誘導通路部５５は、払出停留部９２の底壁板９５の外側端縁部に連接された状態で内方に前下り状に傾斜して立設される天井壁板６３から構成されている。また、第２の樋板５２の下端縁部に連接された状態で略円弧状に外側方向（図１３中、右側方向）に湾曲しつつ、払出停留部９２の底壁板９５の外側端縁部よりも下方まで立設される第３の樋板６４から構成されている。また、この第３の樋板６４の下端縁部に連接された状態で内方に前下り状に傾斜して立設される第４の樋板６５から構成されている。
【００６５】
次に、このように構成された機構セット盤９０を取り付けた場合に、賞球払い出し時の賞球案内通路部９１における賞球の転動落下状態の一例を図１３及び図１４に基づいて説明する。
図１３及び図１４に示すように、賞球ケース１０から払い出された賞球Ｓ１は、第１賞球誘導通路部５３を下方に転動落下後、下端部で略直角内側方向（矢印Ｅ１方向）に方向転換し、該第１賞球誘導通路部５３の流出側端縁部５３Ａから貫通孔６１方向（矢印Ｅ２方向）へ放物線状に落下する。そして、払出停留部９２の底壁板９５上に賞球が無い場合で、該底壁板９５に当たって内側方向（矢印Ｅ３方向）へ跳ね返って奥側側壁部９４の上下方向中央部よりも下側の部分に当たった場合には、該奥側側壁部９４上を外側方向（矢印Ｅ４方向）へ転動落下し、後球出口５６方向（矢印Ｅ５方向）へ流出する。また、該底壁板９５に当たって内側方向（矢印Ｅ６方向）へ跳ね返って奥側側壁部９４の上下方向中央部よりも上側の部分に当たった場合には、再度ほぼ真下方向に（矢印Ｅ７方向）に跳ね返る。そして、底壁板９５上に最初に落下した位置よりも確実に内方側に落下して、後球出口５６方向（矢印Ｅ５方向）へ流出する。
【００６６】
また、払出停留部９２の底壁板９５上に賞球が充満している場合には（図１３中、点線丸で示した状態の場合には）、第２実施形態と同様に、賞球ケース１０から払い出された賞球Ｓ１は、第１賞球誘導通路部５３を下方に転動落下後、下端部で略直角内側方向（矢印Ｅ１方向）に方向転換し、該第１賞球誘導通路部５３の流出側端縁部５３Ａから貫通孔６１方向（矢印Ｂ１方向）へ放物線状に落下する。そして、充満した賞球に当たって外側方向（矢印Ｂ２方向）に跳ね返って、第３の樋板６４に当たって、第２賞球誘導通路部５５内を内側方向（矢印Ｂ３、Ｂ４、Ｂ５方向）に転動落下して下皿排出路２７内に転動落下する。
【００６７】
ここで、上皿１１は、上側球貯留部材として機能する。また、下皿１４は、下側球貯留部材として機能する。また、賞球タンク２１、タンクレール２３、賞球案内部２４及び賞球ケース１０は、賞球払出手段を構成する。また、機構セット盤２０は、機構セット部材として機能する。また、後球出口５６は、第１貫通孔として機能する。また、玉留め板６０は、一側の側壁部として機能する。また、奥側側壁部９４は、他側の側壁部として機能する。また、貫通孔６１は、第２貫通孔として機能する。
【００６８】
従って、第４実施形態に係るパチンコ機では、払出停留部９２に賞球ケース１０から払い出された賞球が充満していない場合には、第１賞球誘導通路部５３の流出側端縁部５３Ａから貫通孔６１を通過し、この払出停留部９２の底壁板９５で跳ね返った賞球は、奥側側壁部９４の上方部に当たった場合には、ほぼ真下方向に跳ね返って底壁板９５上を転動し（矢印Ｅ６、Ｅ７方向）、一方、奥側側壁部９４の下方部に当たった場合には、該奥側側壁部９４上を転動落下して底壁板９５上を転動して（矢印Ｅ３、Ｅ４方向）、勢いが更に弱められ、この跳ね返る賞球が貫通孔６１から外側方向に飛び出すのを更に確実に防止することが可能となる。また、奥側側壁部９４の内側面は、水平断面略円弧状で後側側端縁部は、後球出口５６の内方側側端縁部５６Ａにほぼ対向するように形成されるため、払出停留部９２の底壁板９５で跳ね返って奥側側壁部９４に当たった賞球は、後球出口５６側方向の底壁板９５上に落下し、その後、該払出停留部９２の前側壁面部６６に穿設された後球出口５６を経て、上皿１１内に確実に供給することができ、遊技者の遊技への集中を妨げることがなく、興趣を維持することが可能となる。
【００６９】
また、払出停留部９２の奥側側壁部９４は、内側面の前側側端縁部９４Ａの上下端部が後球出口５６の内方側側端縁部５６Ａより少なくともパチンコ球の半径寸法（約５．５ｍｍ）以上（望ましくは、パチンコ球の直径（約１１ｍｍ）の約１．５〜２倍以上）左右方向外側の位置に設けられるため、奥側側壁部９５と貫通孔６１との距離寸法を容易に大きくすることができ、底壁板９５で跳ね返って更に奥側側壁部９４で跳ね返って落下する賞球の移動可能距離は、確実にパチンコ球の直径寸法以上（望ましくは、パチンコ球の直径寸法（約１１ｍｍ）の約３倍以上）延長されるため、この跳ね返ってきた賞球が貫通孔６１から外側方向に飛び出すのを防止し、該賞球を上皿１１内に更に確実に供給することができる。これにより、上皿１１内のパチンコ球が少ない場合において、払い出された賞球を該上皿１１に円滑に供給することができ、入賞チャンスをより確実に獲得することが可能となる。
【００７０】
さらに、払出停留部９２は、底壁板９５が後球出口５６の下端縁部に沿って該後球出口５６の外方側側端縁部５６Ｂまで前下り状に傾斜すると共に、後球出口５６側方向に前下り状に傾斜するように形成され、更に、この底壁板９５の外側端縁部から略垂直上方向に玉留め板６０が立設されている。これにより、払出停留部９２の底壁板９５上にある賞球は、この底壁板９５上を玉留め板６０方向に転動しつつ確実に後球出口５６に流入するため、第１賞球誘導通路部５３の流出側端縁部５３Ａから払出停留部９２内に落下した賞球を確実に上皿１１に供給することができる。
一方、払出停留部９２に賞球が充満した場合には、貫通孔６１から溢れた賞球は、第２賞球誘導通路部５５、下皿排出路２７及び下部受皿ボックス２８を経て下皿１４に放出されるため、払出停留部８２での球詰まりを防止して遊技の中断を確実に防止でき、遊技者の遊技への集中を妨げることがなく、興趣を維持することが可能となる。
【００７１】
尚、本発明は、前記第１実施形態乃至第４実施形態に限定されるものではなく、本発明の要旨を逸脱しない範囲内で種々の改良、変形が可能であることは勿論である。
例えば、前記第１実施形態に係る機構セット盤２０の奥側側壁部５８の内側面は平板状に形成されているが、図１５に示すように、該奥側側壁部５８に替えて、前側壁面部６６に対して、それぞれ９０度よりも小さい各角度θ５、θ６を形成する前側段差面１００Ａと後側段差面１００Ｂが形成された奥側側壁部１００を設けてもよい。これにより、奥側側壁部１００の内側面の後側部分を構成する後側段差面１００Ｂの内側面と前側壁面部６６との成す角度θ６を前側段差面１００Ａの内側面と前側壁面部６６との成す角度θ５より鋭角にする（即ち、θ５＞θ６とする）ことが可能となり、該奥側側壁部１００の後側段差面１００Ｂの内側面に当たって跳ね返ったパチンコ球Ｔ１は、後球出口５６側方向（各矢印方向Ｇ１、Ｇ２、Ｇ３、Ｇ４、Ｇ５）に落下し、払い出された賞球を更に確実に上皿１１に供給することができる。
【産業上の利用可能性】
【００７２】
本発明は、パチンコ遊技機、回動式遊技機、じゃん球遊技機など、入賞により所定個数の賞球が払い出される遊技機に適用できる。
【図面の簡単な説明】
【００７３】
【図１】第１実施形態に係るパチンコ機全体を示した背面図である。
【図２】第１実施形態に係るパチンコ機全体を示した側面図である。
【図３】第１実施形態に係るパチンコ機の機構セット盤に賞球タンク等を取り付けた状態を示す正面図である。
【図４】第１実施形態に係るパチンコ機の機構セット盤から賞球タンクやタンクレール等を取り除くと共に、賞球通路カバー部材を取り除いた状態を示す正面図である。
【図５】第１実施形態に係るパチンコ機の機構セット盤から賞球通路カバー部材を取り除いた状態の賞球案内通路部及び該賞球案内通路部での賞球の転がり落下状態の一例を模式的に示す要部拡大正面図である。
【図６】図５に示す一点鎖線のＷ−Ｗ矢視方向から見た賞球案内通路部及び払出停留部内での賞球の転がり落下状態の一例を模式的に示す要部拡大部分断面図である。
【図７】第２実施形態に係るパチンコ機の機構セット盤から賞球タンクやタンクレール等を取り除くと共に、賞球通路カバー部材を取り除いた状態を示す正面図である。
【図８】第２実施形態に係るパチンコ機の機構セット盤から賞球通路カバー部材を取り除いた状態の賞球案内通路部を示す要部拡大斜視図である。
【図９】第２実施形態に係るパチンコ機の機構セット盤から賞球通路カバー部材を取り除いた状態の賞球案内通路部及び該賞球案内通路部での賞球の転がり落下状態の一例を模式的に示す要部拡大正面図である。
【図１０】図９に示す一点鎖線のＸ−Ｘ矢視方向から見た賞球案内通路部及び払出停留部内での賞球の転がり落下状態の一例を模式的に示す要部拡大部分断面図である。
【図１１】第３実施形態に係るパチンコ機の機構セット盤から賞球通路カバー部材を取り除いた状態の賞球案内通路部及び該賞球案内通路部での賞球の転がり落下状態の一例を模式的に示す要部拡大正面図である。
【図１２】図１１に示す一点鎖線のＹ−Ｙ矢視方向から見た賞球案内通路部及び払出停留部内での賞球の転がり落下状態の一例を模式的に示す要部拡大部分断面図である。
【図１３】第４実施形態に係るパチンコ機の機構セット盤から賞球通路カバー部材を取り除いた状態の賞球案内通路部及び該賞球案内通路部での賞球の転がり落下状態の一例を模式的に示す要部拡大正面図である。
【図１４】図１３に示す一点鎖線のＺ−Ｚ矢視方向から見た賞球案内通路部及び払出停留部内での賞球の転がり落下状態の一例を模式的に示す要部拡大部分断面図である。
【図１５】他の実施形態に係るパチンコ機の機構セット盤から賞球通路カバー部材を取り除いた状態の賞球案内通路部及び払出停留部内での賞球の転がり落下状態の一例を模式的に示す要部拡大部分断面図である。
【符号の説明】
【００７４】
１                                        パチンコ機
１０                                      賞球ケース
１１                                      上皿（上側球貯留部材）
１４                                      下皿
２０、７０、８０、９０                    機構セット盤
４１、７１、８１、９１                    賞球案内通路部
４２                                      球抜き通路部
４９                                      賞球通路カバー部材
５３                                      第１賞球誘導通路部
５３Ａ                                    流出側端縁部
５４、７２、８２、９２                    払出停留部
５５                                      第２賞球誘導通路部
５６                                      後球出口（第１貫通孔）
５６Ａ                                    内方側側端縁部
５６Ｂ                                    外方側側端縁部
５７、７３、８３、９３                    天井壁板
５８、７５、８５、９４、１００            奥側側壁部
５８Ａ、７５Ａ、８５Ａ、８６Ａ、９４Ａ    前側側端縁部
５９、７６、８７、９５                    底壁板
６０                                      玉留め板
６１                                      貫通孔（第２貫通孔）
６６                                      前側壁面部
８６                                      円弧部
【図１】
2005040389.tif 000003
【図２】
2005040389.tif 000004
【図３】
2005040389.tif 000005
【図４】
2005040389.tif 000006
【図５】
2005040389.tif 000007
【図６】
2005040389.tif 000008
【図７】
2005040389.tif 000009
【図８】
2005040389.tif 000010
【図９】
2005040389.tif 000011
【図１０】
2005040389.tif 000012
【図１１】
2005040389.tif 000013
【図１２】
2005040389.tif 000014
【図１３】
2005040389.tif 000015
【図１４】
2005040389.tif 000016
【図１５】
2005040389.tif 000017